【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
受信機を特定するための第１の受信機情報を保持する第１の受信機情報保持部と受信機を特定するための第２の受信機情報を保持する第２の受信機情報保持部を備える受信機と、
前記受信機から前記第１の受信機情報と前記第２の受信機情報を受け付ける処理部と、予め登録された第１の受信機情報と前記予め登録された第１の受信機情報と関連付けられた第２の受信機情報を保持する受信機情報保持部と、前記処理部で受け付けた第１の受信機情報と前記予め受信機情報保持部に登録された第１の受信機情報を比較判定する第１の比較判定部と、前記処理部で受け付けた第２の受信機情報と前記予め登録された第１の受信機情報と関連付けられた第２の受信機情報を比較判定する第２の比較判定部を備えるポータル認証サーバと、
前記ポータル認証サーバの比較判定結果に基づき前記受信機に画面データを提供するポータルサーバと、
を備えるＣＡＴＶポータル認証システム。
【請求項２】
前記ポータル認証サーバは、前記第１の比較判定部の結果が該当でかつ前記第２の比較判定部の結果が該当の場合、該当である旨の通知を前記ポータルサーバに行い、
前記ポータルサーバは、前記通知に基づき、前記受信機に前記該当である場合のポータル画面を表示させる
ことを特徴とする請求項１記載のＣＡＴＶポータル認証システム。
【請求項３】
前記ポータルサーバは、特定の画面データを保持するコンテンツデータ保持部を備え、
前記ポータル認証サーバは、前記第１の比較判定部の結果が該当でかつ前記第２の比較判定部の結果が非該当の場合、又は、前記第１の比較判定部の結果が非該当の場合、非該当である旨を前記ポータルサーバに通知し、
前記ポータルサーバは、前記通知に基づき、前記受信機に前記特定の非該当である場合の画像データを表示させる
ことを特徴とする請求項１記載のＣＡＴＶポータル認証システム。
【請求項４】
前記ＣＡＴＶポータル認証システムは、前記ポータルサービスからの通知に基づき動作するＶＯＤサーバをさらに備え、
前記ポータル認証サーバは、前記予め登録された第１の受信機情報と関連付けられた第２の受信機情報に関連付けられた接続情報を保持する接続情報保持部と、前記処理部で受け付けた第２の受信機情報から前記接続情報を検索する接続情報検索部をさらに備え、
前記ポータル認証サーバは、前記第１の比較判定部の結果が該当でかつ前記第２の比較判定部の結果が非該当の場合、前記接続情報検索部で検索した接続情報を前記ポータルサーバに通知し、
前記ポータルサーバは、前記ポータル認証サーバからの通知に基づき、前記ＶＯＤサーバに前記接続情報検索部で検索した接続情報を通知し、
前記ＶＯＤサーバは、前記ポータルサーバから通知された接続情報のネットワークに前記受信機から要求された該ＶＯＤ情報を送出する
ことを特徴とする請求項１記載のＣＡＴＶポータル認証システム。
【請求項５】
前記ポータル認証サーバは、前記予め登録された第１の受信機情報と関連付けられた第２の受信機情報に関連付けられたサービス情報を保持するサービス情報保持部と、前記処理部で受け付けた第２の受信機情報から前記サービス情報を検索するサービス情報検索部をさらに備え、
前記第１の比較判定部の結果が該当でかつ前記第２の比較判定部の結果が該当の場合、前記サービス情報検索部で検索したサービス情報を前記ポータルサーバに通知し、
前記ポータルサーバは、前記ポータル認証サーバからの通知に基づき、前記サービス情報検索部で検索したサービス情報を元に対応するポータルサービス画面情報を前記受信機に送出する
ことを特徴とする請求項１記載のＣＡＴＶポータル認証システム。
【請求項６】
前記受信機は、受信機を特定するための第３の受信機情報を保持する第３の受信機情報保持部をさらに備え、
前記ポータル認証サーバは、前記受信機から前記第３の受信機情報をさらに受け付ける処理部と、前記予め登録された第１の受信機情報と関連付けられた第２の受信機情報に関連付けられた第３の受信機情報をさらに保持する受信機情報保持部と、前記予め登録された第１の受信機情報と関連付けられた第２の受信機情報に関連付けられた第３の受信機情報に関連付けられたサービス情報を保持するサービス情報保持部と、前記処理部で受け付けた第３の受信機情報から前記サービス情報を検索するサービス情報検索部をさらに備え、前記第１の比較判定部の結果が該当でかつ前記第２の比較判定部の結果が該当の場合、前記サービス情報検索部で検索したサービス情報を前記ポータルサーバに通知し、
前記ポータルサーバは、前記ポータル認証サーバからの通知に基づき、前記サービス情報検索部で検索したサービス情報を元に対応するポータルサービス画面情報を前記受信機に送出する
ことを特徴とする請求項１記載のＣＡＴＶポータル認証システム。
【請求項７】
前記ポータル認証サーバは、前記処理部で受け付けた第２の受信機情報が予め定められた範囲かどうかを調査する受信機情報調査部をさらに備え、
前記受信機は、前記第２の受信機情報保持部が保持する第２の受信機情報を保持する出荷情報保持部と、前記出荷情報保持部が保持する第２の受信機情報を前記第２の受信機情報保持部に設定する第２の受信機情報設定処理部とさらに備え、
前記受信機情報調査部の調査結果が非適合の場合、前記ポータルサーバに前記第２の受信機情報を設定する指示を行い、前記ポータルサーバは、前記受信機に前記出荷情報保持部が保持する第２の受信機情報を前記第２の受信機情報保持部に設定する指示を行う
ことを特徴とする請求項１記載のＣＡＴＶポータル認証システム。
【請求項８】
前記ポータル認証サーバは、前記第２の受信機情報保持部に保持する第２の受信機情報を発生する受信機情報発生部をさらに備え、
前記受信機情報発生部は、前記処理部が前記受信機から前記第１の受信機情報のみを受け付けた場合、前記処理部で受け付けた第１の受信機情報に基づき、前記第２の受信機情報保持部で保持する第２の受信機情報を発生させ、前記発生した第２の受信機情報及び前記発生した第２の受信機情報の設定指示を前記ポータルサーバに通知し、
前記ポータルサーバは、前記通知された第２の受信機情報及び第２の受信機情報の設定指示を前記受信機に通知し、
前記受信機は、前記ポータルサーバからの通知に基づき、前記ポータルサーバから通知された第２の受信機情報を前記第２の受信機情報保持部に保持する
ことを特徴とする請求項１記載のＣＡＴＶポータル認証システム。
【請求項９】
受信機から、前記受信機を特定するための第１の受信機情報と前記受信機を特定する第２の受信機情報を受け付ける処理部と、
予め登録された第１の受信機情報と前記予め登録された第１の受信機情報と関連付けられた第２の受信機情報を保持する受信機情報保持部と、
前記処理部で受け付けた第１の受信機情報と前記予め受信機情報保持部に登録された第１の受信機情報を比較判定する第１の比較判定部と、
前記処理部で受け付けた第２の受信機情報と前記予め登録された第１の受信機情報と関連付けられた第２の受信機情報を比較判定する第２の比較判定部と、
を備えるポータル認証サーバ。
【請求項１０】
前記受信機を特定するため第１の受信機情報が前記受信機本体に脱着可能な限定受信カードＩＤであり、前記受信機を特定するための第２の受信機情報が前記受信機本体にあらかじめ付与された受信機ＩＤであることを特徴とする請求項９記載のポータル認証サーバ。
【請求項１１】
前記第３の受信機情報保持部が保持する第３の受信機情報が受信機モデルＩＤであることを特徴とする請求項６記載のＣＡＴＶポータル認証システム。